(57)【要約】【課題】ヘアクリップ及びヘアピンとして両用し得る髪飾りを提供する。【解決手段】装飾物を取り付けた飾り板（１）と、髪に差し込む髪挿入脚体（２）とを備え、飾り板の裏面の第１ヒンジ突片（１０）に形成した枢軸突起（１３）を、髪挿入脚体の第２ヒンジ突片（２０）に明けた枢軸孔（２３）内に嵌め込むことにより、飾り板と髪挿入脚体とを互いに回動可能なように連結し、飾り板の上記第１ヒンジ突片（１０）と、髪挿入脚体の上記第２ヒンジ突片（２０）との間に作用するよう設けたバネ（３）により、飾り板と髪挿入脚体とが展開状態にもたらされたときはその展開状態を維持し、折畳み状態にもたらされたときはその折畳み状態を維持するように構成され、展開状態においてはヘアピンとして、折畳み状態においてはヘアクリップとして使用可能な一品両用の髪飾りである。【選択図】図２
0003130671.tif 000002
【実用新案登録請求の範囲】
【請求項１】
主要部材として、飾り板（１）、髪挿入脚体（２）及びバネ（３）を含み；
上記飾り板（１）の表面には装飾物（１５）が設けられ、飾り板（１）の裏面には、互いに平行な一対の第１ヒンジ突片（１０）が形成され、当該一対の第１ヒンジ突片の間には他部材を収容設置するための収容空間（１４）が形成されると共に、当該一対の第１ヒンジ突片の内面にはそれぞれ枢軸突起（１３）が設けられ、更に、上記一対の第１ヒンジ突片上にはそれぞれ第１ピン孔（１１）が明けられ、当該第１ピン孔には第１バネ掛けピン（１２）が取り付けられ；
上記髪挿入脚体（２）の脚棒付け根部（２５）には、互いに平行な一対の第２ヒンジ突片（２０）が形成され、当該一対の第２ヒンジ突片上にはそれぞれ枢軸孔（２３）が形成され、当該一対の第２ヒンジ突片（２０）を上記一対の第１ヒンジ突片（１０）の上記収容空間（１４）内に嵌め入れたとき、第１ヒンジ突片の内面に設けられた前記枢軸突起（１３）が第２ヒンジ突片上の上記枢軸孔（２３）内に係合し、これにより、上記飾り板（１）と髪挿入脚体（２）とは上記枢軸突起（１３）を中心に相対的に回動可能なように構成され、上記一対の第２ヒンジ突片上にはそれぞれ第２ピン孔（２１）が明けられ、当該第２ピン孔には第２バネ掛けピン（２２）が取り付けられ、更に、上記髪挿入脚体（２）の脚棒付け根部（２５）からは複数本の脚棒（２５１，２５２）が互いに交差するよう湾曲した状態で延伸せしめられ、これらの脚棒を毛髪内に挿入したときには脚棒間のスリット（２４）内に毛髪がしっかりと挟み込まれるように構成され；
上記バネ（３）の一端は上記第１ヒンジ突片の第１ピン孔に取り付けた第１バネ掛けピン（１２）に掛け止められ、バネ（３）の他端は上記第２ヒンジ突片の第２ピン孔に取り付けた第２バネ掛けピン（２２）に掛け止められ、これにより、第１バネ掛けピン（１２）と第２バネ掛けピン（２２）との間に両者を引き寄せる方向のバネ力が作用することにより、上記飾り板（１）と上記髪挿入脚体（２）とが展開状態にもたらされたときはその展開状態を維持し、折畳み状態にもたらされたときはその折畳み状態を維持するように構成され；
ヘアピンとして用いるため、上記飾り板（１）と上記髪挿入脚体（２）とが展開状態にもたらされ、当該展開状態を維持しているときは、上記髪挿入脚体の複数本の脚棒（２５１，２５２）が毛髪の中に挿入され、湾曲した脚棒間のスリット（２４）内に毛髪がしっかりと挟まれることにより、毛髪に対してヘアピンが安定して保持され；
ヘアクリップとして用いるため、上記飾り板（１）と上記髪挿入脚体（２）とが折畳み状態にもたらされ、当該折畳み状態を維持しているときは、上記髪挿入脚体の複数本の脚棒（２５１，２５２）が毛髪の中に挿入されると共に、折畳み状態にある飾り板（１）と髪挿入脚体（２）との間に、上記バネ力によって毛髪（４）が挟持された状態で折畳み状態が維持されることにより、毛髪に対してヘアクリップが安定して保持され；
これにより、ヘアピンとしてもヘアクリップとしても使用可能なよう構成されたことを特徴とする髪飾り。
【請求項２】
上記飾り板（１）の表面に設けられる装飾物（１５）が、複数の装飾物の中から選ばれた所望のものと交換可能なように構成されたことを特徴とする請求項１に記載の髪飾り。
【考案の詳細な説明】
【技術分野】
【０００１】
本考案は、髪飾りに関し、特に、ヘアクリップとしてもヘアピンとしても使用できる髪飾りに関するものである。
より具体的には、本考案に係る髪飾りは、装飾物を取り付けた飾り板と、髪に差し込む髪挿入脚体とを備え、飾り板の裏面の第１ヒンジ突片に形成した枢軸突起を、髪挿入脚体の脚棒付け根部の第２ヒンジ突片に明けた枢軸孔内に嵌め込むことにより、飾り板と髪挿入脚体とを上記枢軸突起を中心に互いに回動可能なように連結し、飾り板の上記第１ヒンジ突片に取り付けた第１バネ掛けピンと、髪挿入脚体の上記第２ヒンジ突片に取り付けた第２バネ掛けピンとの間に作用するよう設けたバネにより、飾り板と髪挿入脚体とが展開状態にもたらされたときはその展開状態を維持し、折畳み状態にもたらされたときはその折畳み状態を維持するように構成され、展開状態においてはヘアピンとして使用可能であり、折畳み状態においてはヘアクリップとして使用可能なように構成された一品両用の髪飾りに関するものである。
【背景技術】
【０００２】
現在市場には非常に多くの種類の髪飾りが流通しているが、髪飾りを髪に止める方式によって大別すると、ヘアクリップ型のものとヘアピン型のものとに分けられる。
一般のヘアクリップは、例えば下記特許文献１に開示されているもののように、髪束を挟み掴んで固定するという機能及び用途だけしか備えていない。
他方、装飾用のヘアピンは、例えば下記特許文献２に開示されているもののように、通常は後頭部に結わえた髪束に差し込んで使用する機能しか備えていない。一つの髪飾りで、同時に両方の機能を兼ね備えたものは未だ提供されていない。
また、ある種の髪飾りは、その構造に欠陥があったり、或いは複雑に過ぎ、使用者の装着時に破損し易いという問題がある。
更にまた、使用者が例えば或るヘアクリップの装飾が気に入って、同じ装飾のヘアピンが欲しいと思っても、それがない場合が多く、あったとしても別途購入する費用が必要となり、そのため、どちらか一方だけで我慢するということも多かった。
【０００３】
【特許文献１】実登３１２０１５５号公報
【特許文献２】実開平０６−０００３０１号公報
【考案の開示】
【考案が解決しようとする課題】
【０００４】
本考案は、上記の如き従来公知のヘアクリップ及びヘアピンの問題点を解決するためなされたものであり、その目的とするところは、ヘアクリップとしても、ヘアピンとしても使用可能で、便利で経済的な髪飾りを提供することにある。
【課題を解決するための手段】
【０００５】
上記の問題点を解決するため、本考案に係る髪飾りは; 
主要部材として、飾り板、髪挿入脚体及びバネを含み；
上記飾り板の表面には装飾物が設けられ、飾り板の裏面には、互いに平行な一対の第１ヒンジ突片が形成され、当該一対の第１ヒンジ突片の間には他部材を収容設置するための収容空間が形成されると共に、当該一対の第１ヒンジ突片の内面にはそれぞれ枢軸突起が設けられ、更に、上記一対の第１ヒンジ突片上にはそれぞれ第１ピン孔が明けられ、当該第１ピン孔には第１バネ掛けピンが取り付けられ；
上記髪挿入脚体の脚棒付け根部には、互いに平行な一対の第２ヒンジ突片が形成され、当該一対の第２ヒンジ突片上にはそれぞれ枢軸孔が形成され、当該一対の第２ヒンジ突片を上記一対の第１ヒンジ突片の上記収容空間内に嵌め入れたとき、第１ヒンジ突片の内面に設けられた前記枢軸突起が第２ヒンジ突片上の上記枢軸孔内に係合し、これにより、上記飾り板と髪挿入脚体とは上記枢軸突起を中心に相対的に回動可能なように構成され、上記一対の第２ヒンジ突片上にはそれぞれ第２ピン孔が明けられ、当該第２ピン孔には第２バネ掛けピンが取り付けられ、更に、上記髪挿入脚体の脚棒付け根部からは複数本の脚棒が互いに交差するよう湾曲した状態で延伸せしめられ、これらの脚棒を毛髪内に挿入したときには脚棒間のスリット内に毛髪がしっかりと挟み込まれるように構成され；
上記バネの一端は上記第１ヒンジ突片の第１ピン孔に取り付けた第１バネ掛けピンに掛け止められ、バネの他端は上記第２ヒンジ突片の第２ピン孔に取り付けた第２バネ掛けピンに掛け止められ、これにより、第１バネ掛けピンと第２バネ掛けピンとの間に両者を引き寄せる方向のバネ力が作用することにより、上記飾り板と上記髪挿入脚体とが展開状態にもたらされたときはその展開状態を維持し、折畳み状態にもたらされたときはその折畳み状態を維持するように構成され；
ヘアピンとして用いるため、上記飾り板と上記髪挿入脚体とが展開状態にもたらされ、当該展開状態を維持しているときは、上記髪挿入脚体の複数本の脚棒が毛髪の中に挿入され、湾曲した脚棒間のスリット内に毛髪がしっかりと挟まれることにより、毛髪に対してヘアピンが安定して保持され；
ヘアクリップとして用いるため、上記飾り板と上記髪挿入脚体とが折畳み状態にもたらされ、当該折畳み状態を維持しているときは、上記髪挿入脚体の複数本の脚棒が毛髪の中に挿入されると共に、折畳み状態にある飾り板と髪挿入脚体との間に、上記バネ力によって毛髪が挟持された状態で折畳み状態が維持されることにより、毛髪に対してヘアクリップが安定して保持され；
これにより、ヘアピンとしてもヘアクリップとしても使用可能なよう構成されたことを特徴とする。
飾り板の表面の装飾物は、必要に応じて、複数の装飾物の中から選ばれた別のデザインのものと交換可能なように構成することが望ましい。
【考案の効果】
【０００６】
上記の如き構成であると、飾り板と髪挿入脚体とを展開状態にしたときは、髪挿入脚体の複数本の脚棒を髪束の中に挿入することによりヘアピンとして使用でき、他方、上記飾り板と上記髪挿入脚体とを折畳み状態にしたときは、髪挿入脚体の複数本の脚棒を毛髪の中に挿入すると共に、折畳み状態にある飾り板と髪挿入脚体との間に、バネ力によって毛髪を挟持することによりヘアクリップとして使用でき、これにより、ヘアピンとしてもヘアクリップとしても使用することが可能な便利で経済的な髪飾りを提供でき、多くの女性消費者を惹きつけることができる。
飾り板の表面の装飾物を、必要に応じて別のデザインのものと交換可能なように構成することにより、状況に応じた最適のデザインの装飾物を選ぶことができるので、一層実用的で経済的な髪飾りを提供し得る。
【考案を実施するための最良の形態】
【０００７】
以下、図面を参照しつゝ本考案を実施するための最良の形態について具体的に説明する。
図１は、本考案に係る髪飾りの一実施例の外観斜視図、
図２は、図１に示した髪飾りの分解斜視図、
図３は、図１に示した髪飾りの展開状態を示す外観斜視図、
図４は、図１に示した髪飾りの展開状態を示す側面図、
図５は、図１に示した髪飾りの展開状態から折畳み状態への移行過程においてバネが最も伸びた状態を示す側面図、
図６は、図１に示した髪飾りの折畳み状態を示す側面図、
図７は、図１に示した髪飾りをヘアクリップとして使用する状態を示す説明図、
図８は、図３に示した髪飾りをヘアピンとして使用する状態を示す説明図である。
【０００８】
図中、１は飾り板、１０は一対の第１ヒンジ突片、１１は第１ピン孔、１２は第１バネ掛けピン、１３は枢軸突起、１４は収容空間、１５は装飾物、２は髪挿入脚体、２０は一対の第２ヒンジ突片、２１は第２ピン孔、２２は第２バネ掛けピン、２３は枢軸孔、２４はスリット、２５は脚棒付け根部、２５１，２５２は脚棒、３はバネ、４は毛髪である。
【０００９】
図１及び図２に示すように、本考案に係る髪飾りは、その主要部材として、飾り板１、髪挿入脚体２及びバネ３を含んでいる。
飾り板１の表面には装飾物１５を設け、使用者の好みに応じて異なるデザインの装飾物１５を選択し交換することができるように構成する。
飾り板１の裏面には、一対の互いに平行な第１ヒンジ突片１０を設け、当該一対の第１ヒンジ突片１０の間には他の部材を収容設置するための収容空間１４を形成する。一対の第１ヒンジ突片１０の内面にはそれぞれ枢軸突起１３を形成すると共に、第１ピン孔１１及び当該第１ピン孔１１内に嵌め入れられる第１バネ掛けピン１２を取り付ける。
【００１０】
髪挿入脚体２には、その脚棒付け根部２５から複数本の脚棒２５１、２５２が延伸するように形成され、それらの脚棒２５１、２５２は高低差をつけて交差するように湾曲させる。図示した例においては、３本の脚棒２５１、２５２のうち、中央の脚棒２５２をその両側の脚棒２５１よりも長く形成してあり、また、これらの脚棒２５１、２５２の間にスリット２４が形成されるようになっている。
この髪挿入脚体２の脚棒付け根部２５の裏面には、一対の互いに平行な第２ヒンジ突片２０を設け、当該一対の第２ヒンジ突片２０上にはそれぞれ枢軸孔２３と第２ピン孔２１とが明けられる。当該第２ピン孔２１内には第２バネ掛けピン２２が嵌め入れられて取り付けられる。
上記一対の互いに平行な第２ヒンジ突片２０は、前記一対の第１ヒンジ突片１０の間の収容空間１４に嵌め入れられる。このとき、第１ヒンジ突片１０上の前記枢軸突起１３は、第２ヒンジ突片２０に明けた上記枢軸孔２３内に係合せしめられる。これにより、飾り板１と髪挿入脚体２は互いに回動可能なように連結される。
【００１１】
バネ３の一端は前記第１ヒンジ突片１０上の第１バネ掛けピン１２に掛け止められ、バネ３の他端は前記第２ヒンジ突片２０上の第２バネ掛けピン２２上に掛け止められる。その構造分解図は、図２に示す通りである。
【００１２】
本考案に係る髪飾りの飾り板１と髪挿入脚体２との展開状態を示す立体図である図３と、側面図である図４に示すように、前記の一対の第２ヒンジ突片２０は一対の第１ヒンジ突片１０の収容空間１４内に収容設置され、当該第１ヒンジ突片１０の枢軸突起１３が第２ヒンジ突片２０の枢軸孔２３内に係合するようになっている。これにより、前記の如く、飾り板１と髪挿入脚体２は互いに回動可能なように連結される。
図３及び図４に示す如く、飾り板１と髪挿入脚体２が展開し、完全に伸直せしめられたとき、第１ヒンジ突片１０の端面がちょうど髪挿入脚体２の脚棒付け根部２５の端面に当接して、それ以上の回動が阻止されるため、飾り板１が過度に反転することはない。
【００１３】
バネ３の両端は、第１及び第２バネ掛けピン１２、２２にそれぞれ掛け止められ、飾り板１と髪挿入脚体２の回転中心軸は第１ヒンジ突片１０の枢軸突起１３の位置にある。この場合、図４に示す如く、回転中心軸である枢軸突起１３の位置は、バネ３の両端を結ぶ線よりやや高い点にある。
そのため、バネ３による引っ張り力は、飾り板１を外側へ開かせる方向へ作用する。従って、仮に弱い力で飾り板１を閉鎖する方向へ幾らか回動させたとしても、バネ３の両端を結ぶ線が枢軸突起１３の位置を超えない限り、バネ３の引っ張り力によって第１ヒンジ突片１０の端面が髪挿入脚体２の脚棒付け根部２５の端面に接触するまで飾り板１を引き戻して、図４に示すような伸直した展開状態を維持しようとするものである。
このような展開状態にあるとき、本考案に係る髪飾りはヘアピンとして使用でき、髪挿入脚体２を毛髪４に差し込むと、脚棒２５１、２５２の間の前記スリット２４中に毛髪が挟み込まれた状態となり、ヘアピンとしての髪飾りを頭にしっかりと安定した状態で装着できる。
【００１４】
一方、図５に示すように、より多くの力を加え、飾り板１を髪挿入脚体２の裏面上に重なるように折り畳む方向に回動させると、その過程において２本のバネ掛けピン１２、２２は、枢軸突起１３を中心軸として回転し、相互間の距離が引き伸ばされる。この過程で、バネ３の両端を結ぶ線が、枢軸突起１３の位置とちょうど重なったとき、バネ３は最長となり（図５参照）、最大の引っ張り力を発揮する。しかし、この位置は、バネ３の引っ張り力が飾り板１を折り畳む方向に作用するか、逆に、飾り板１を展開させる方向に作用するかのちょうど臨界状態にある。
バネ３の両端を結ぶ線が、枢軸突起１３の位置を超えると、てこの原理に基づき、バネ３の引っ張り力が、飾り板１を折り畳む方向に作用し、これにより飾り板１は枢軸突起１３を回動中心軸として回動し、髪挿入脚体２と重なるように折り畳まれ、その折畳み状態がバネ３の引っ張り力によって維持される。
これにより、図６に示すように、髪挿入脚体２を毛髪４の中に挿入し、更に飾り板１を折り畳んで閉鎖状態とすることにより、毛髪４を髪挿入脚体２と飾り板１との間に挟み持ち、ヘアクリップとしての髪飾りを頭にしっかりと安定した状態で装着できる。
【００１５】
上記のように本考案は、ヘアクリップとしても、ヘアピンとしても利用できる両用の髪飾りを提供するものである。
即ち、飾り板１と髪挿入脚体２を折り畳んで閉鎖したときには、ヘアクリップとして使用可能で、髪飾りは毛髪４の束上に安定して保持される（図７参照）。
他方、飾り板１と髪挿入脚体２を展開したときには、ヘアピンとして使用可能で、まとめられた頭髪の塊上に安定して保持される（図８参照）。
【００１６】
なお、本考案は上記実施例に限定されるものではなく、その目的の範囲内において、上記の説明から当業者が容易に想到し得るすべての変更実施例を包摂するものである。
【産業上の利用可能性】
【００１７】
本考案は、上記の如く構成されるから、本考案によるときは、従来公知の髪飾りにはない特徴を有し、その実用性、利便性及び経済性は公知構造に比べて格段に優れているものであるから、産業上多大の利用可能性を有するものである。
【図面の簡単な説明】
【００１８】
【図１】本考案に係る髪飾りの一実施例の外観斜視図である。
【図２】図１に示した髪飾りの分解斜視図である。
【図３】図１に示した髪飾りの展開状態を示す外観斜視図である。
【図４】図１に示した髪飾りの展開状態を示す側面図である。
【図５】図１に示した髪飾りの展開状態から折畳み状態への移行過程においてバネが最も伸びた状態を示す側面図である。
【図６】図１に示した髪飾りの折畳み状態を示す側面図である。
【図７】図１に示した髪飾りをヘアクリップとして使用する状態を示す説明図である。
【図８】図３に示した髪飾りをヘアピンとして使用する状態を示す説明図である。
【符号の説明】
【００１９】
１    飾り板
１０  一対の第１ヒンジ突片
１１  第１ピン孔
１２  第１バネ掛けピン
１３  枢軸突起
１４  収容空間
１５  装飾物
２    髪挿入脚体
２０  一対の第２ヒンジ突片
２１  第２ピン孔
２２  第２バネ掛けピン
２３  枢軸孔
２４  スリット
２５  脚棒付け根部
２５１，２５２  脚棒
３    バネ
４    毛髪
【図１】
0003130671.tif 000003
【図２】
0003130671.tif 000004
【図３】
0003130671.tif 000005
【図４】
0003130671.tif 000006
【図５】
0003130671.tif 000007
【図６】
0003130671.tif 000008
【図７】
0003130671.tif 000009
【図８】
0003130671.tif 000010